(57)【要約】【課題】玩具銃では、発射可能状態か、発射不能状態か、外観上の判断が困難であった。【解決手段】機関部本体と、シリンダーと、コッキングハンドルと、ピストンと、ピストンスプリングと、スプリングガイドと、スプリングガイド受けと、シアーと、トリガーとを有する玩具銃の発射機構であって、スプリングガイドの長手方向に第１貫通孔を形成し、シリンダーの後方内部の銃身長手方向に第２貫通孔を形成し、スプリングガイドの第１貫通孔とシリンダーの後方内部の第２貫通孔とを移動可能に貫通し、シリンダーの後端部より後方へ突出可能に設けるインジケーターバーを有し、かつインジケーターバーは、玩具銃が発射可能状態においてはシリンダーの後端部より後方へ突出する。【選択図】  図４
2004347221.tif 000002
【特許請求の範囲】
【請求項１】
機関部本体と、機関部本体に対して内部で摺動自在なシリンダーと、シリンダーに固定されているコッキングハンドルと、シリンダーに対して内部で摺動自在なピストンと、ピストンを銃口側に付勢するピストンスプリングと、ピストンスプリングをガイドするスプリングガイドと、スプリングガイドを機関部本体に対して一定の位置に固定するスプリングガイド受けと、ピストンの反銃口側への移動のときは係止不能でありピストンの銃口側への移動のときはピストンを係止可能及び係止解除可能なシアーと、シアーとの間にシアーバーを介して連結するトリガーとを有する玩具銃の発射機構において、
スプリングガイドの長手方向に第１貫通孔を形成し、
シリンダーの後方内部の銃身長手方向に第２貫通孔を形成し、
スプリングガイドの第１貫通孔とシリンダーの後方内部の第２貫通孔とを移動可能に貫通し、シリンダーの後端部より後方へ突出可能に設けるインジケーターバーを有し、かつインジケーターバーは、玩具銃が発射可能状態においてはシリンダーの後端部より後方へ突出することを特徴とする玩具銃の発射機構。
【請求項２】
機関部本体と、機関部本体に対して内部で摺動自在なシリンダーと、シリンダーに固定されているコッキングハンドルと、シリンダーに対して内部で摺動自在なピストンと、ピストンを銃口側に付勢するピストンスプリングと、ピストンスプリングをガイドするスプリングガイドと、スプリングガイドを機関部本体に対して一定の位置に固定するスプリングガイド受けと、ピストンの反銃口側への移動のときは係止不能でありピストンの銃口側への移動のときはピストンを係止可能及び係止解除可能なシアーと、シアーとの間にシアーバーを介して連結するトリガーとを有する玩具銃の発射機構において、
スプリングガイドの長手方向に第１貫通孔を形成し、
シリンダーの後方内部の銃身長手方向に第２貫通孔を形成し、
スプリングガイドの第１貫通孔とシリンダーの後方内部の第２貫通孔とを移動可能に貫通し、シリンダーの後端部より後方へ突出可能に設けたインジゲーターバーを有するとともに、
インジケーターバーに固定され、かつ第２貫通孔内において移動可能である止め輪と、インジケーターバーを銃口側に付勢するインジケーターバースプリングを第２貫通孔内に設けたことを特徴とする玩具銃の発射機構。
【請求項３】
インジケーターバーのシリンダーの後端部より後方へ突出可能部分が、視認しやすい色彩又は夜光塗料で表面が形成されるインジケーターバーである請求項１又は請求項２の玩具銃の発射機構。
【発明の詳細な説明】
【０００１】
【発明の属する技術分野】
この発明は、玩具銃の発射機構に関する。
【０００２】
【従来の技術】
従来の玩具銃の発射機構、特にピストンスプリングを発射動力源とする発射機構としては、特開昭６３−１４０２９８号公報「遊技用エアガンの発射機構」（従来技術１）、実開平６−４０６９３号公報「遊戯銃用の機関部の構造」（従来技術２）などが公知である。
【０００３】
従来技術１は、「ばねに付勢された合成樹脂製のピストンによりシリンダ内部のエアを圧縮して弾丸を発射させるようにした遊技用エアガンの発射機構において、前記ばねの先端をピストンに取り外し不能に固着したことを特徴とする遊技用エアガンの発射機構」に関し、「ピストンコッキングレバー７、ピストン１１、シリンダ９、ばね１７」などが開示されている。
【０００４】
従来技術２は、「遊戯銃用の機関部の構造」に関し、「シリンダー内に摺動自在に収納されピストン突起が設けられるピストンと、ピストンを銃口側に付勢させるピストンスプリングと、ピストンスプリングの反銃口側への移動を規制するピストンスプリングガイド押さえと、シリンダー内に突設する第１突起と第１突起より銃口側に突設して設けられる第２突起がそれぞれ設けられ軸ピンにより回転可能に機関部内に取り付けられ常に第１突起が反銃口方向に回転するように付勢されるシアーと、回転可能に機関部に取り付けられるとともに、軸ピンよりシリンダー側に設けられたトリガーシアー突起部でシアーに接触するように常に付勢されるトリガーシアーと、トリガーシアー突起部とシアーとの接触を解除するトリガー」が開示されている。
【０００５】
【この発明が解決しようとする課題】
従来技術１及び２に例示した従来の玩具銃では、機関部本体、摺動自在なシリンダー、シリンダーに固定されているコッキングハンドル、シリンダーに対して内部で摺動自在なピストン、ピストンを銃口側に付勢するピストンスプリング、ピストンスプリングをガイドするスプリングガイド、スプリングガイドを機関部本体に対して一定の位置に固定するスプリングガイド受け、ピストンの反銃口側への移動のときは係止不能でありピストンの銃口側への移動のときはピストンを係止可能及び係止解除可能なシアー、シアーとの間にシアーバーを介して連結するトリガー等の玩具銃の発射機構の構成、作用の開示はあり、公知である。
【０００６】
しかしながら、従来技術１及び２に例示した従来の玩具銃においては、玩具銃が発射可能状態でも、発射不能状態でもコッキングハンドルの位置が同じで、発射可能状態か、発射不能状態かを外観上判断することが難しかった。すなわち発射不能状態（非コッキング状態）では、シリンダー及びコッキングハンドルは最前方へ位置している。また、その状態からシリンダー及びコッキングハンドルを後方側に移動させた後に、再び最前方に戻して発射可能状態（コッキング状態）でも、同様にはシリンダー及びコッキングハンドルは最前方へ位置している。したがって、発射可能状態でも発射不能状態でもコッキングハンドル及びシリンダーと、機関部本体との相対的位置は外観上同じで判断することが困難だった。
【０００７】
この発明は、玩具銃が発射可能状態か、発射不能状態かを外観上から誰でも容易に判断することが可能な玩具銃の発射機構を得ることにより、勘違いや誤った操作による玩具銃の誤発射や暴発を防ぐことにより、玩具銃使用の安全性を向上させることを目的とする。
【０００８】
【課題を解決する為の手段】
この課題を解決する為に、機関部本体と、機関部本体に対して内部で摺動自在なシリンダーと、シリンダーに固定されているコッキングハンドルと、シリンダーに対して内部で摺動自在なピストンと、ピストンを銃口側に付勢するピストンスプリングと、ピストンスプリングをガイドするスプリングガイドと、スプリングガイドを機関部本体に対して一定の位置に固定するスプリングガイド受けと、ピストンの反銃口側への移動のときは係止不能でありピストンの銃口側への移動のときはピストンを係止可能及び係止解除可能なシアーと、シアーとの間にシアーバーを介して連結するトリガーとを有する玩具銃の発射機構において、
スプリングガイドの長手方向に第１貫通孔を形成し、
シリンダーの後方内部の銃身長手方向に第２貫通孔を形成し、
スプリングガイドの第１貫通孔とシリンダーの後方内部の第２貫通孔とを移動可能に貫通し、シリンダーの後端部より後方へ突出可能に設けるインジケーターバーを有し、かつインジケーターバーは、玩具銃が発射可能状態においてはシリンダーの後端部より後方へ突出することを特徴とする玩具銃の発射機構を提案する。
【０００９】
また、機関部本体と、機関部本体に対して内部で摺動自在なシリンダーと、シリンダーに固定されているコッキングハンドルと、シリンダーに対して内部で摺動自在なピストンと、ピストンを銃口側に付勢するピストンスプリングと、ピストンスプリングをガイドするスプリングガイドと、スプリングガイドを機関部本体に対して一定の位置に固定するスプリングガイド受けと、ピストンの反銃口側への移動のときは係止不能でありピストンの銃口側への移動のときはピストンを係止可能及び係止解除可能なシアーと、シアーとの間にシアーバーを介して連結するトリガーとを有する玩具銃の発射機構において、
スプリングガイドの長手方向に第１貫通孔を形成し、
シリンダーの後方内部の銃身長手方向に第２貫通孔を形成し、
スプリングガイドの第１貫通孔とシリンダーの後方内部の第２貫通孔とを移動可能に貫通し、シリンダーの後端部より後方へ突出可能に設けたインジゲーターバーを有するとともに、
インジケーターバーに固定され、かつ第２貫通孔内において移動可能である止め輪と、インジケーターバーを銃口側に付勢するインジケーターバースプリングを第２貫通孔内に設けたことを特徴とする玩具銃の発射機構を提案する。
【００１０】
更に、前記［０００８］欄及び［０００９］欄記載の玩具銃の発射機構において、インジケーターバーのシリンダーの後端部より後方へ突出可能部分が、視認しやすい色彩又は夜光塗料で表面が形成されるインジケーターバーである玩具銃の発射機構を提案する。
【００１１】
【発明の実施の形態】
この発明の玩具銃の発射機構の１つの実施形態について、機関部本体の右側面側から視た断面内部作動説明図である図１乃至図５、及び図１乃至図３と図５に対応するシリンダー後部の第２貫通孔の断面拡大作動説明図である図６、図４に対応するシリンダー後部の第２貫通孔の断面拡大作動説明図である図７、同じく一つの実施形態である止め輪の正面図である図８に基づいて説明する。以下この発明の実施の形態の説明文中で、前方及び前進は銃口側及び銃口側への部材の移動（図面右方向）であり、後方及び後退は、反銃口側及び反銃口側への部材の移動（図面左方向）である。
【００１２】
この発明の玩具銃の発射機構は、機関部本体１と、シリンダー２と、コッキングハンドル３と、ピストン４と、ピストンスプリング５と、スプリングガイド６と、スプリングガイド受け７と、シアー８と、シアーバー９と、トリガー１０と、インジゲーターバー１１と、止め輪１２と、インジケーターバースプリング１３とを有する。
【００１３】
機関部本体１は、内部の中空部である内筒に摺動自在にシリンダー２を設けるとともに、内筒の一端側に弾丸の通路である銃身１４を細長い中空孔として開口しており図示しない銃口へと連続する。銃身１４のシリンダー側に装弾室１５を設けており、弾丸１６の発射により装弾室１５の手前上方から順次１発ずつ弾丸１６を装弾室１５の手前に落下可能に設けている。
【００１４】
シリンダー２は、機関部本体１の内筒に摺動自在である円筒体からなり、シリンダー２の後方上部に固定され一体に移動するコッキングハンドル３を設けており、前方先端中央から前方側へシリンダーノズル２１を突出させている。シリンダー２の後端部２２から内部の銃身長手方向に貫通する第２貫通孔２０が形成されており、第２貫通孔２０の内部にはインジゲーターバー１１が移動可能に挿通されている。第２貫通孔２０は、後部をインジケーターバー１１の外径と差のない少しだけ大きい内径を有する径小貫通孔２００、前部をインジケーターバー１１の外径より径大な内径を有する径大貫通孔２０１として形成する。径大貫通孔２０１の内径は、止め輪１２、インジケーターバースプリング１３がインジケーターバー１１の外周に設けられる間隔があればよい。径大貫通孔２０１内の前方側において止め輪１２をインジケーターバー１１に固定して設ける。止め輪１２と径大貫通孔２０１の後方側端の周面との間にインジケーターバースプリング１３を設けている。
【００１５】
コッキングハンドル３は、機関部本体１より上方へ突起しており、手動によって、シリンダー２を機関部本体１に対して玩具銃の前後に移動させることができる。
【００１６】
ピストン４は、シリンダー２内部に設けられた中空円筒部に前後方向へ移動可能に設けられる。ピストン４の銃口側端部にピストンカップ４０をピストン４に取り付けて設けている。ピストン４は、銃口側にピストンカップ４０の内側中央辺りに向けて突出する円筒状突起部４３を設ける。円筒状突起部４３は、反銃口側が開口しており、銃口側が円筒底面に当たる内端面によって閉鎖された形状であり、その内端面をインジケーターバー当接面４１として形成する。ピストン４は、その後端部をピストン円筒体より径大に形成し、シリンダー２の円筒内周面に摺動可能なピストン係止突起４２を形成しており、シアー８のシアー上部係止突起８０と係止及び係止解除可能である。ピストン４は、シリンダー２の中空円筒部内でピストンスプリング５によって前方（銃口側）に付勢される。
【００１７】
ピストンスプリング５は、スプリングコイル内部に銃身方向と同方向に設けた棒状体からなるスプリングガイド６を設けており、ピストンスプリング５がシリンダー２内部で伸長した後、短縮される場合にピストンスプリング５が、曲がらないようにガイドする。ピストンスプリング５は、後方側をスプリングガイド６の後部にある径大部６０に固定又は当接し、前方側をピストン４の銃口側内端面に固定又は当接されている。
【００１８】
スプリングガイド６は、銃身方向と同方向に設けた棒状体からなり後部に径大部６０を形成しており、この径大部６０を機関部本体１に対して一定の位置であるように機関部本体１の下部に取り付けられるスプリングガイド受け７に固定される。スプリングガイド６は、棒状体の長手方向に亘って貫通している第１貫通孔６１を形成しており、第１貫通孔６１は内径をインジケーターバー１１の外径より少し大きくし、内部にはインジケーターバー１１が移動可能に挿通されている。
【００１９】
シアー８は、機関部本体１の下部でスプリングガイド受け７の銃口側近傍位置に配設されており、上部にシアー上部係止突起８０、下部にシアー下部係止突起８１を形成されており、その中間に設けたシアー軸８２に回動可能に設ける。シアー軸８２にはシアースプリング８３が係止され、シアースプリング８３の回転付勢力によりシアー上部係止突起８０が図において反時計回り方向へ付勢されており、シアー上部係止突起８０をシリンダー２の下部に細長い孔として開口するシアー孔からシリンダー２内部に突出させ、シリンダー２内に位置する姿勢にシアー８を支持している。
【００２０】
そして、シアー８は、ピストン４の後方への移動のときは、シアー上部係止突起８０がシアー軸８２を中心に反時計回りに回動して、ピストン係止突起４２と係止不能である。また、シアー上部係止突起８０は、ピストン４の前方への移動のときは、シアー８のシアー下部係止突起８１が、シアーバー９のシアーバー係止面９０に当接しているため回動できず、ピストン係止突起４２をシアー上部係止突起８０が係止してピストン４を係止できる。また、トリガー１０を引くことによりシアーバー９がシアーバー支点９１を中心に時計回り方向へ回動するとシアーバー係止面９０がシアー下部係止突起８１から外れ、ピストンスプリング５の付勢力により、ピストン係止突起４２とシアー上部係止突起８０の係止は解除される。
【００２１】
シアーバー９は、シアーバー支点９１を中心に回動可能であり、シアーバースプリング９２によって、反時計回りに付勢されている。シアーバー９は、前方側端面をシアーバー係止面９０として形成し、後方側の端部の下面を斜面状に削りトリガー係止面９３として形成する。
【００２２】
トリガー１０は、トリガー支点１００を中心に回動可能であり、トリガースプリング１０１によって反時計回り方向に回動するように付勢され、トリガー１０の上部が、トリガー係止面９３に当接する状態に支持している。
【００２３】
インジケーターバー１１は、一本の真っ直ぐな細長い棒状体であり、前部をスプリングガイド６の第１貫通孔６１内部に移動可能に挿通されており、後部をシリンダー２の後方内部の第２貫通孔２０内部に移動可能に挿通されている。インジケーターバー１１には、第２貫通孔２０の前部に形成される径大貫通孔２０１内の前方位置で輪の一部が切欠しているΩリングからなる止め輪１２が固定されて設けられている。止め輪１２の他の実施形態としては、開放可能な０リングでもよく、インジケーターバー１１自体の一部を止め輪状に太く形成してもよい。止め輪１２と径大貫通孔２０１の後方側端の周面との間にインジケーターバースプリング１３を設けており、インジケーターバー１１を前方側へ付勢している。
【００２４】
インジケーターバー１１は、この実施形態では直径３ｍｍの丸棒からなるが、角棒でもよく、太さも適宜であるが２〜５ｍｍ程度の太さが普通である。インジケーターバー１１の長さは、ピストン４が、シリンダー２内で後方に移動しピストン係止突起４２とシアー上部係止突起８０とが係止した状態で、インジケーターバー１１の前端当接面が、円筒状突起部４３のインジケーターバー当接面４１に後当接したとき、インジケーターバー１１の後端部がシリンダー２の後端部２２から後方へ突出する長さであればよい。インジケーターバー１１の後端部から数ｍｍ乃至数１０ｍｍが突出可能部分１１０であり、発射可能状態では、シリンダー２の後端部２２から突出して外部から視認可能となる。この発明の請求項３に係る実施形態では、インジケーターバー１１の突出可能部分１１０が、視認しやすい色彩、例えば玩具銃本体の色彩、特に玩具銃後端部の色彩と異なる明確に識別しやすい色彩又は夜光塗料で表面が形成されている。
【００２５】
次に、この発明の玩具銃の発射機構の１つの実施形態の作用について説明する。図１は、発射の準備がされていない状態、すなわちコッキング状態ではない状態を示している。図１のように発射の準備が為されていない状態では、インジケーターバー１１は、第２貫通孔２０内でインジケーターバースプリング１３の付勢力で止め輪１２を前端内面側に当接させた状態となり、インジケーターバー１１の後端部が、シリンダー２の後端部２２から突出していない。そのため、インジケーターバー１１の突出可能部分１１０もまた、第２貫通孔２０内に埋没して外部から視認不可能な状態である。
【００２６】
また、シリンダー２は機関部本体１の円筒内部で前方側端部に位置しておりシリンダーノズル２１が、装弾室１５内へ挿入されている。次の弾丸１６は、シリンダーノズル２１によって装弾室１５の上部に留まらされた状態である。又ピストン４は、シリンダー２の円筒内で伸長したピストンスプリング５の前方への付勢力によりシリンダー２内で前方端へ付勢されており、ピストンカップ４０がシリンダー２の前方端内面に接触している。
【００２７】
図２は、コッキングハンドル３を手動等の手段により機関部本体１に対して後方へピストンスプリング５の付勢力に抗して最大に移動させて、コッキングハンドル３と一体に固定されているシリンダー２をも、機関部本体１に対して後方へ最大に移動させた状態である。図２の状態では、シリンダー２の内部でピストン４が、その後端部でスプリングガイド受け７に固定されているスプリングガイド６の径大部６１に接触しているため、ピストン４は、これ以上後方へは移動できず、ピストン４を後方へ移動させていたシリンダー２も、またこれ以上後方へは移動できない。この状態ではインジケーターバー１１の前端当接部１１１はスプリングガイド６の第１貫通孔６１内の中間部辺りに位置しており、ピストン４の銃口側にある円筒状突起部４３内端面のインジケーターバー当接面４１とは距離があり当接していない。又、インジケーターバー１１は、図６に示すようにシリンダー２の後部にある第２貫通孔２０内でインジケーターバースプリング１３の付勢力で前端内面側に止め輪１２が当接した状態であるので、インジケーターバー１１の後端部である突出可能部分１１０がシリンダー２の後端部２２から突出しない状態のままシリンダー２の後方への移動に従い一体的に後方へ移動する。
【００２８】
図１の状態から図２の状態へピストン４が、移動する途中において、ピストン係止突起４２が、シアー上部係止突起８０に当接するが、シアー上部係止突起８０は、シアー軸８２を支点として反時計回りに回動可能であるため、ピストン４の後方への移動は妨害されない。図２では、シリンダー２のシリンダーノズル２１が、装弾室１５内から外れるため、次の弾丸１６が装弾室１５の手前に移動する。
【００２９】
図３は、図２のシリンダー２と機関部本体１の状態から、シリンダー２を少し前方に戻した状態であり、ピストン４のピストン係止突起４２がシアー８のシアー上部係止突起８０と係止するため、ピストン４は、その位置で前方への移動が停止される。
【００３０】
図４は、図３から更にコッキングハンドル３を図１と同じ位置まで前方へ移動させ、コッキングハンドル３と一体に固定されているシリンダー２も図１と同じ位置まで移動させて、発射可能状態、すなわちコッキングされた状態になる。この状態では、ピストン４は、ピストンスプリング５の付勢力で前方へ付勢されているが、まだピストン４のピストン係止突起４２がシアー８のシアー上部係止突起８０と係止した状態であるため前方への移動が停止されたままである。したがってピストン４は、シリンダー２内でシリンダー２との相対的位置は変わる。
【００３１】
インジケーターバー１１は、止め輪１２が第２貫通孔２０の前端面部に当接しているため、シリンダー２の前方への移動に付随して前方へ移動するが、インジケーターバー前端当接面１１１が、ピストン４の円筒状突起部４３の内端面であるインジケーターバー当接面４１に当接した位置から前方への移動が阻止され、シリンダー２のみが機関部本体１に対して前方へ移動する。そのため、インジケーターバー１１は、後部の突出可能部分１１０が、シリンダー２の後端部２２より外部へ突出して外部から視認可能な状態になる。このとき、図７に示すようにシリンダー２の第２貫通孔２０内の止め輪１２も、インジケーターバースプリング１３の付勢力に抗して、第２貫通孔２０内部で後方へ移動する。突出可能部分１１０が、請求項３のように視認しやすい色彩又は夜光塗料で表面が形成されていると、より容易に外部から発射可能状態が確認しやすくなる。
【００３２】
図５は、図４の状態からトリガー１０を、トリガースプリング１０１の付勢力に抗して矢印方向に引いて、シアーバー９のトリガー係止面９３を押し、シアーバー９をシアーバースプリング９２の付勢力に抗してシアーバー支点９１を中心に回動させ、シアーバー係止面９０とシアー下部係止突起８１との係止を解除させる。そのため、シアー８の回動が自由となり、シアー上部係止突起８０と係止していたピストン係止突起４２が外れ、ピストン４は、ピストンスプリング５の前方へ付勢力によりシリンダー２内でエアを圧縮しつつ勢いよく前方へ移動する。この圧縮エアの圧力により、装弾室１５に位置していた弾丸１６は銃身１４を通って図示しない銃口から発射される。
【００３３】
図５の弾丸発射状態では、ピストン４がシリンダー２内で前方へ移動したことにより、インジケーターバー１１は、前端当接面１１１とピストン４の円筒状突起部４３の内端面であるインジケーターバー当接面４１との当接が解除され離れる。そのため、インジケーターバー１１は、インジケーターバースプリング１３の前方への付勢力により止め輪１２をシリンダー２の第２貫通孔２０の内部で前方へ押圧し、第２貫通孔２０の前端面部に当接するまで移動する。止め輪１２と一体的に移動するインジケーターバー１１は、この移動によりインジケーターバー１１の後部の突出可能部分１１０もシリンダー２の後端面２２から第２貫通孔２０内部に入り、突出可能部分１１０が外部から視認不能になる。したがって、この状態では、発射不能状態、すなわちコッキングされていない状態であることが、外部から視認できる。
【００３４】
図５から、ピストン４が、シリンダー２内部で、最前方の位置に移動した状態で図１に戻り、順次同様に図１から図５まで繰り返し発射作動可能である。
【００３５】
【発明の効果】
したがって、この発明によれば、玩具銃が発射可能状態（コッキング状態）か、発射不能状態（非コッキング状態）かのどちらの状態であるかを、玩具銃の後端部を一目見れば外見上、容易に判断することができるようになった。すなわち、玩具銃の取扱者が、インジケーターバーの突出可能部分がシリンダー後端部（玩具銃の後端部）から突出して外部から視認できれば発射可能状態であり、インジケーターバーの突出可能部分が外部から見えなければ発射不能状態である。
【００３６】
インジケーターバーの突出可能部分が、玩具銃本体の色彩、特に玩具銃後端部の色彩と異なる明確に識別しやすい色彩又は夜光塗料で表面が形成されていると、より容易、確実に発射可能状態の視認が可能となる。
【００３７】
そのため、勘違いや誤った判断による玩具銃の誤発射や暴発を防ぐことができ、玩具銃使用の安全性を向上させることができる。
【図面の簡単な説明】
【図１】この発明の１つの実施形態である玩具銃の発射機構を、機関部本体の右側面側からみた断面内部作動説明図
【図２】同じく玩具銃の発射機構を機関部本体の右側面側からみた断面内部作動説明図
【図３】同じく玩具銃の発射機構を機関部本体の右側面側からみた断面内部作動説明図
【図４】同じく玩具銃の発射機構を機関部本体の右側面側からみた断面内部作動説明図
【図５】同じく玩具銃の発射機構を機関部本体の右側面側からみた断面内部作動説明図
【図６】同じく図１乃至図３と図５に対応するシリンダー後部の第２貫通孔の断面拡大作動説明図
【図７】同じく図４に対応するシリンダー後部の第２貫通孔の断面拡大作動説明図
【図８】同じく一つの実施形態である止め輪の正面図
【符号の説明】
１  機関部本体
２  シリンダー
２０  第２貫通孔
２００  径小貫通孔
２０１  径大貫通孔
２１  シリンダーノズル
２２  後端部
３  コッキングハンドル
４  ピストン
４０  ピストンカップ
４１  インジケーターバー当接面
４２  ピストン係止突起
４３  円筒状突起部
５  ピストンスプリング
６  スプリングガイド
６０  径大部
６１  第１貫通孔
７  スプリングガイド受け
８  シアー
８０  シアー上部係止突起
８１  シアー下部係止突起
８２  シアー軸
８３  シアースプリング
９  シアーバー
９０  シアーバー係止面
９１  シアーバー支点
９２  シアーバースプリング
９３  トリガー係止面
１０  トリガー
１００  トリガー支点
１０１  トリガースプリング
１１  インジゲーターバー
１１０  突出可能部分
１１１  前端当接部
１２  止め輪
１３  インジケーターバースプリング
１４  銃身
１５  装弾室
１６  弾丸
【図１】
2004347221.tif 000003
【図２】
2004347221.tif 000004
【図３】
2004347221.tif 000005
【図４】
2004347221.tif 000006
【図５】
2004347221.tif 000007
【図６】
2004347221.tif 000008
【図７】
2004347221.tif 000009
【図８】
2004347221.tif 000010